(57)【要約】【課題】  木製パネルの接合部に斜行ネジ刃をパネルの嵌合孔の壁面に食い込ませて接合する堅牢で正確な位置合わせができる木製キャビネットを提供する。【解決手段】  一方の木製パネルに挿入ネジ部を有する接合具を設け、挿入ネジ部をパネルの凹部に圧入嵌合させるとともに、木製パネル端部の長手方向には嵌合凸部と平坦凹部とを設け、平坦凹部には挿入ネジ部を位置させ、他方の木製パネルには挿入ネジ部が嵌合する嵌合孔を設けるとともに嵌合凸部に対応した嵌合凹溝部を設け、挿入ネジ部を嵌合孔に挿入し、凸部に凹溝部に嵌合して両パネルを接合し、挿入ネジ部には偏心した回動軸とその回動軸には斜行ネジ刃が設け、レバーを回動することにより、偏心した回動軸とそれに設けられた斜行ネジ刃とが回動して斜行ネジ刃が外周に突出して対向するパネルの嵌合孔の壁面に食い込み奥に進行してパネル相互を締め付けて接合する木製キャビネット。【選択図】図３
2007209587.tif 000002
【特許請求の範囲】
【請求項１】
木製パネルを組み合わせたキャビネットにおいて、
一方の木製パネルに挿入ネジ部を有する接合具を設け、該挿入ネジ部を前記木製パネルの凹部に嵌合させるとともに、該木製パネル端部の長手方向には嵌合凸部と平坦凹部とを設け、該平坦凹部には前記挿入ネジ部を位置させ、
他方の木製パネルには前記挿入ネジ部が嵌合する嵌合孔を設けるとともに前記嵌合凸部に対応した嵌合凹溝部を設け、
前記挿入ネジ部を嵌合孔に挿入し、前記嵌合凸部に嵌合凹溝部に嵌合して両木製パネルを接合し、前記挿入ネジ部には偏心した回動軸とその回動軸には斜行ネジ刃が設け、レバーを回動することにより、偏心した回動軸とそれに設けられた斜行ネジ刃とが回動して前記斜行ネジ刃が挿入ネジ部の外周より突出して対向する木製パネルの嵌合孔の壁面に食い込み奥に進行して、木製パネル相互を締め付けて接合することを特徴とする木製キャビネット。
【請求項２】
前記木製パネル端部の長手方向の嵌合凸部の幅は該木製パネルの厚さとして、他方の木製パネルの嵌合凹溝部の幅を、前記嵌合凸部が強固に嵌合するように前記嵌合凸部の幅と実質的に同じとしたことを特徴とする前記請求項１に記載の木製キャビネット。
【請求項３】
前記木製パネル端部の長手方向の嵌合凸部の幅は該木製パネルよりも小さくし、他方の木製パネルの嵌合凹溝部の幅を、前記嵌合凸部が強固に嵌合するように前記嵌合凸部の幅と実質的に同じとしたことを特徴とする前記請求項１に記載の木製キャビネット。
【請求項４】
請求項３に記載の木製キャビネットにおいて、接合具を設けた木製パネルの外側面と、前記嵌合凹溝部を有する木製パネルの端部の面とを一致させたことを特徴とする木製キャビネット。
【請求項５】
前記木製キャビネットをゲーム機に用いたことを特徴とする請求項１乃至４に記載の木製キャビネット。
【発明の詳細な説明】
【技術分野】
【０００１】
本発明は、木製パネルを組み合わせた木製キャビネット、特に、ゲーム用木製キャビネット等の木製パネル相互を接合する技術分野に属する。
【背景技術】
【０００２】
従来、木製キャビネットの家具等、特にゲーム機用キャビネットは、過酷な扱いを受けるため堅牢でなければならない。
そのため、金属製キャビネットが多く、圧型や射出成形型を必要とすることから量産には向いているが、多種少量の需要のあるゲーム機には採算が合わないことが多かった。
一方、木製のゲーム機用キャビネットや家具等は、型が不必要であることから、多種少量の生産には向いているが、反面、木製パネルの接合には堅牢な構造とするための特別の構造が必要であった。
例えば、普通、特開平9-1510号公報に記載されているように、木製パネルの結合手段としては、一方の木製パネルに隅木を設けて、他方のパネルを固定して結合する手段が用いられており、また、本発明者らが提案し特開平10-9232号公報に記載されているように、結合する木製パネルの巾の浅い溝を設けて他方のパネルを嵌合して木ネジ等で結合したりしていた。
【０００３】
ところで、木製家具や木製パネルを加工したゲーム機用キャビネットは堅牢な構造とするために、結合手段に隅木を設けなければならないが、隅木は結合する木製パネルの全てに設けなければならず、煩わしい作業で多大な手間暇を費さなければならない。また、ゲーム機用キャビネットについては、ゲーム機を改造する際に、キャビネットの分解が困難で、ゲーム機を改造することも困難であり、更に、ゲーム機を廃棄処分する場合には、近時、産業廃棄物は分別してから廃棄しなければならないが、キャビネットの分解が困難であることから、分別廃棄処分に手間暇を費やすといった不都合があった。
そこで、本発明者らは、特許第3714664号（特許文献１）として、木製パネル同士の接合部には接合具を設けて接合し、接合具は挿入ネジ部が設けられ、挿入ネジ部には偏心した回動軸とその回動軸には斜行ネジ刃が設けられ、レバーを回動することによって、斜行ネジ刃が外側に突出して対向する木製パネルの嵌合孔の壁面に食い込み奥に進行して、木製パネル相互を締め付けて接合する木製パネルを組み合わせた木製ゲーム機用キャビネットを提案した。
【特許文献１】特許第３７１４６６４号公報
【発明の開示】
【発明が解決しようとする課題】
【０００４】
しかし、前掲の技術は、木製ゲーム機用キャビネットの木製パネル相互の強固な結合が簡単にでき、組み立てと分解が容易であって、ゲーム機の改造や分別廃棄処分が簡単な木製ゲーム機用キャビネットではあるが、より堅牢な強度を得る必要がある接合部分には不十分であった。また、より正確な位置固定、例えば、１mm以内の位置に正確に接合するには、微調整等の手間暇を要する等の問題があり、このためにホゾを設けたりして定位置を確保していたが、レバーを回動して斜行ネジ刃が接合相手の木製パネルの嵌合孔の壁面に食い込み奥に進行するため、大きな力が左右前後に加わり所望の位置よりずれてしまうという不都合があった。
本発明は、このような問題点に鑑みてなされたもので、木製パネルどうしの接合部にはワンタッチで斜行ネジ刃を相対する木製パネルの嵌合孔の壁面に食い込ませて接合する木製キャビネットにおいて、より堅牢な強度を得られ、簡単でより正確な位置合わせができる接合手段を用いた木製キャビネットを提案することにある。
【課題を解決するための手段】
【０００５】
上記の課題を解決するために、請求項１の発明は、木製パネルを組み合わせたキャビネットにおいて、一方の木製パネルに挿入ネジ部を有する接合具を設け、該挿入ネジ部を前記木製パネルの凹部に嵌合させるとともに、該木製パネル端部の長手方向には嵌合凸部と平坦凹部とを設け、該平坦凹部には前記挿入ネジ部を位置させ、他方の木製パネルには前記挿入ネジ部が嵌合する嵌合孔を設けるとともに前記嵌合凸部に対応した嵌合凹溝部を設け、前記挿入ネジ部を嵌合孔に挿入し、前記嵌合凸部に嵌合凹溝部に嵌合して両木製パネルを接合し、前記挿入ネジ部には偏心した回動軸とその回動軸には斜行ネジ刃が設け、レバーを回動することにより、偏心した回動軸とそれに設けられた斜行ネジ刃とが回動して前記斜行ネジ刃が挿入ネジ部の外周より突出して対向する木製パネルの嵌合孔の壁面に食い込み奥に進行して、木製パネル相互を締め付けて接合することを特徴とする木製キャビネットである。
【０００６】
請求項２の発明は、前記木製パネル端部の長手方向の嵌合凸部の幅は該木製パネルの厚さとして、他方の木製パネルの嵌合凹溝部の幅を、前記嵌合凸部が強固に嵌合するように前記嵌合凸部の幅と実質的に同じとしたことを特徴とする前記請求項１に記載の木製キャビネットである。
【０００７】
請求項３の発明は、前記木製パネル端部の長手方向の嵌合凸部の幅は該木製パネルよりも小さくし、他方の木製パネルの嵌合凹溝部の幅を、前記嵌合凸部が強固に嵌合するように前記嵌合凸部の幅と実質的に同じとしたことを特徴とする前記請求項１に記載の木製キャビネットである。
請求項４の発明は、請求項３に記載の木製キャビネットにおいて、接合具を設けた木製パネルの外側面と、前記嵌合凹溝部を有する木製パネルの端部の面とを一致させたことを特徴とする木製キャビネットである。
【０００８】
請求項５の発明は、前記木製キャビネットをゲーム機に用いたことを特徴とする請求項１乃至４に記載の木製キャビネットである。
【発明の効果】
【０００９】
以上説明したように、本発明によれば、木製パネルどうしの接合部には接合具を設けて接合し、接合具は挿入ネジ部が設けられ、挿入ネジ部には偏心した回動軸とその回動軸には斜行ネジ刃が設けられ、レバーを回動することによって、斜行ネジ刃が嵌合ネジ部の外周より突出して対向する木製パネルの嵌合孔の壁面に食い込み奥に進行して、木製パネル相互を締め付けるので、レバーを回動するだけのワンタッチで、キャビネットの木製パネル相互を締め付けることができ、両木製パネルを簡単に接合でき、また、木製パネル端部の長手方向には嵌合凸部と平坦凹部とを設け、他方の木製パネルには挿入ネジ部が嵌合する嵌合孔を設けるとともに嵌合凸部に対応した嵌合凹溝部を設けて互いを嵌合させたので、両木製パネルの接合箇所に大きな強度を持たせることができ、より堅牢な木製キャビネットとすることができ、且つ、素早く簡単でより正確な位置合わせができる。
更に、パネルが木製であることから加工が金属製に比べて容易であることから多種少量生産が可能となる。
また、組み立てと分解が容易となることから、特に、ゲーム機キャビネットとしては、改造や分別廃棄処分が簡単になり、販売先や据え付ける現地でゲーム機を簡単に組み立てられ、或いは、所謂ノックダウン方式を採用することができ、運搬が容易で保管場所も少なくて済むという幾多の効果が得られる。
【発明を実施するための最良の形態】
【００１０】
以下、本発明の木製キャビネットを木製ゲーム機用キャビネットに適用した好適の実施例を図面に沿って説明する。
図１は、木製ゲーム機の全体を示すもので、キャビネット１は木製のベニヤ合板のパネルの組み合わせからなり、対向する一対の側面木製パネル１１が設けられ、この側面木製パネル１１の間には、前面木製パネル１２・操作パネル１３・ディスプレーパネル１４・天井パネル１５・背面パネル１６・底面木製パネル１７が設けられ、操作パネル１３には操作機器２が配備され、ディスプレーパネル１４には液晶等のディスプレー３が固定され、底面木製パネル１７の四隅には４個のキャスター４が設けられている。
【００１１】
[実施例１]
ここで、実施例１として、図１のＡ箇所（Ｂ箇所は実施例２、３）の接合部分について、図２から図１１を用いて説明する。
実施例１は、図２及び図３に示すように、木製キャビネット１の裏面の側面木製パネル11と底面木製パネル17を接合具５を用いて接合したもので、底面木製パネル17(一方の木製パネル)については、図３及び図４に示すように、底面木製パネル17の端部171の長手方向には、嵌合凸部172と該嵌合凸部172から陥没するように平坦凹部173とを設ける。
この平坦凹部173のほぼ中央で底面木製パネル17の平面パネル部174側には、円柱部51とその先端の斜行ネジ刃522が付いた挿入ネジ部52を有する接合具５を設けるが、そのために、平面パネル部174側には接合具５の本体円柱部53に合致した凹部175を設け、接合具５の本体円柱部53(図８)の周面の複数の環状刃531が設けられ、この凹部175に本体円柱部53を圧入嵌合させるだけで、木製の凹部175の内壁に環状刃531が食い込み、密接して簡単に定位に固定できるようにしている。
なお、接合具５の縁である固定枠55が平面パネル部174に密接して定位に固定できるようにしているが、後述するように、位置合わせは主に、嵌合凸部172と嵌合凹溝部111とで行うので、固定枠55が無くてもよい。
一方、接合相手の側面木製パネル11(他方の木製パネル)には、図３及び図５に示すように、底面木製パネル17の端部171の長手方向の嵌合凸部172が嵌合するための嵌合凹溝部111を設けられ、また、接合具５の円柱部51の先端の斜行ネジ刃522が付いた挿入ネジ部52が嵌合する嵌合孔112が設けられている。ここで、前掲の先行技術のように円柱部51を延長して嵌合孔112に嵌合して位置決めを兼ねてもよいが、後述するように、先行技術と異なり嵌合凸部172と嵌合凹溝部111とが位置決めの重要な要件となるので、円柱部51を嵌合孔112に嵌合すことはさほど重要な要件ではない。
【００１２】
なお、嵌合凹溝部111の幅は、底面木製パネル17の位置を決める作用を有するように、ガタが無いように底面木製パネル17、すなわち嵌合凸部172の幅と実質的に同じ、或いは、大きくても１mm以下にすることが好ましく、また、嵌合凸部172の長さは底面木製パネル17の端部に沿って長く設けることができるが、両パネルの接合強度が増し位置決めにも役立つので、嵌合孔112の強度を弱めない範囲で嵌合凸部172の長さも出来る限り長くするほうが好ましい。また、平坦凹部173の一部は側面パネル11の平面パネル部113に押圧されて、両者の密着接合位置がそれによって定まり、平坦凹部173は接合面を構成するので、平坦凹部173の平坦面の直線性(平坦性)も重要である。
そして、両パネルを接合するには、両パネルを矢印Ａ〜Ｃの方向から、嵌合凸部172が嵌合凹溝部111(矢印Ｂ、Ｃ)に、接合具５の挿入ネジ部52を嵌合孔112(矢印Ａ)にそれぞれ挿入し、接合具５のレバー541(操作部54)を回動することによってレバー541の回動軸542(図８)が回動し、それに連結した偏心回転軸521と斜行ネジ刃522とが、円柱部51の外周よりも突出するようになり、対向する接合相手の側面木製パネル11（木製パネル）の嵌合孔112の壁面に食い込み、更に奥に進行して、木製パネル相互を締め付ける。
この際、レバーを回動して斜行ネジ刃が接合相手の木製パネルの嵌合孔の壁面に食い込み奥に進行するため、大きな力が左右前後に加わるが、嵌合凸部172と対応する嵌合凹溝部111の長さを大きく設定することができるため、両パネルの接合強度と位置決め作用が、従来のホゾとホゾ孔の組み合わせに比較して格段に向上する。
【００１３】
ここで、本発明および実施例に使用する接合具５は、前述したように、操作が簡単ではあるが、反面、レバーを回動して斜行ネジ刃が接合相手の木製パネルの嵌合孔の壁面に食い込み奥に進行するため、大きな力が左右前後に加わることをを、その構成の詳細や作動を詳しく説明する。
図８から図１１に示すように、底板パネル(一方の木製パネル)17に設けられた接合具５の側部から突出した挿入ネジ部52を側面木製パネル11（他方の木製パネル）11の嵌合孔112に嵌合させて、操作部54のレバー541を９０度(下方に)回動させるだけで、ワンタッチで底板パネル17を接合対象の側面木製パネル11に締め付ける力が作用するように確実に接合する。
図３に示すように、接合具５の外側にはレバー541からなる操作部54が設けられ、レバー541は、図３、図９(ａ)のような９０度に立った状態と、図２及び図９(ｃ)のような０度の倒れた状態で側面木製パネル11が大凡平坦となる状態に維持するように回動する。
【００１４】
このレバー541には、これと一体で回動する回動軸542が設けられ、回動軸542は、接合具５の本体円柱部53と一体の円柱部51によって回動自在に軸支され、挿入ネジ部52には、偏心した回動軸521が回動するように設けられており、回動軸521の周面には３周した螺旋状の斜行ネジ刃522が設けられている。
そして、図９(d)の(１)に示すように、レバー541を９０度立てた開の状態では斜行ネジ刃522は、側面木製パネル11（他方の木製パネル）11の嵌合孔112の内径壁1121内に収まっているが、図９(d)の(2)に示すように、レバー541を０度に倒した閉の状態では斜行ネジ刃522は、円柱部51の外周から外側に突出し、嵌合孔112の内径壁1121に突出し、斜行ネジ刃522は側面木製パネル11の嵌合孔112の内径壁1121面に食い込み、さらに斜行ネジ刃522が壁面に食い込みながらスクリューネジのように嵌合孔112の奥により進行する。
すなわち、挿入ネジ部52は嵌合孔112に挿入され、図９(d)の(１)と(２)に示すように、円柱部51は接合具５と一体で回転しないから動かず、また、底板パネル(一方の木製パネル)17の嵌合凸部172が、側面木製パネル(他方の木製パネル)11の嵌合凹溝部111に強固に嵌合しているので、嵌合孔112と円柱部51とは相対的に固定されており、両者は、そのままの位置であるが、図８,図９(d)の(１)の回動軸542、及び、偏心回転軸521とその斜行ネジ刃522が回動することにより、図９(d)の（２）の状態に変化し、回動により斜行ネジ刃522は嵌合孔112の内径壁1121面に突出すようになる。
【００１５】
図９(d)の(１)と(２)の内容を更に詳しく図１０(誇張して表示しているが)で説明すると、図９(d)(１)及び、(d)(２)の側面図について、軸側からみた図１０(１)及び(２)の平面図で、図１０(１)において、斜行ネジ刃522を設けた偏心回動軸521の軸心Ｏ１(図１０)が、レバー541の回動軸542の中心Ｏ２(図１０)とはズレ(偏心)ているため、レバー541を立てた状態では、斜行ネジ刃522(実際には図８に示すように、噛み合う側に扇形の刃が突出している)の回動軸心Ｏ２から先端までの距離Ｙは、円柱部51や嵌合孔112の円内に収まっているが、図１０(２)に示すように、レバー541を倒した状態では、図１０(２)での距離Ｙは、回動軸心O2を起点として垂直になり、円柱部51や嵌合孔112の円から突出して、嵌合孔112の内壁に斜行ネジ刃522が食い込むことになる。
【００１６】
その接合手順を、図９(a)から(c)によって説明すると、図９(a)に示すように、底面木製パネル17側の接合具５のレバー541を９０度立てた開の状態で、円柱部51及び挿入ネジ部52を、図９(b)に示すように、木製パネル11側の嵌合孔112に挿入し、図９(c)に示すように、木製パネル11側の嵌合孔112に挿入し、レバー541を０度に倒した閉の状態にする。
この際、前述したように、斜行ネジ刃522は円柱部51の外周内、及び嵌合孔112内周内に収まり図９(d)の(1)に示すように、斜行ネジ刃522や偏心回転軸521からなう挿入ネジ部52をルーズに嵌合しているが、レバー541を倒した状態では図９(d)の(2)に示すように、斜行ネジ刃522は円柱部51の外周より突出して、斜行ネジ刃522は木製パネル11の嵌合孔112の内壁面に食い込み、さらに斜行ネジ刃522が壁面をスクリューネジのようにより奥に進行し、結果として、側面木製パネル11に底面木製パネル17を締め付けるように確実に接合することになる。
また、場合によっては、改造や廃棄処分のために組み立てたキャビネット１を分解することも考えられるが、この場合には図１１に示すように逆の操作をすればよく、レバー541を９０度立てた開の状態にすれば、挿入ネジ部52の斜行ネジ刃522は側面木製パネル11の嵌合孔112の内壁1121面の食い込みを解除し、簡単に挿入ネジ部52を嵌合孔112から抜くことができ、簡単に木製ゲーム機用キャビネットを解体することができる。
【００１７】
このように、接合具５による接合手段は、図１のＡ箇所のみならず、結合具５を各木製パネル11、12、13、14、15、16、17と接合部の適所に配備すればよく、特に、ゲーム用木製キャビネット１として用いた場合には、レバー5４1を回動するだけのワンタッチで、キャビネット１の木製パネル相互を締め付け、木製パネルどうしを簡単に接合できることから、木製パネル相互をより堅牢で強固な結合とすることができ、簡単に十分な組み立て強度を得ることができ、組み立てと分解が容易となり、ゲーム機の改造や分別廃棄処分が簡単になる。
また、販売や据え付け時に、現地で簡単に組み立てられ、所謂ノックダウン方式を採用することができ、運搬が容易で保管場所も少なくて済む。
更に、本実施例においては、木製であることから型を要せず、部品加工と組み立てが金属製に比べて容易であることから多種少量生産が可能となる。
【００１８】
[実施例２]
次に、図１のＢ箇所の接合部分である実施例２について、図１２から図１７を用いて説明する。
実施例２は、図１２及び図１７に示すように、木製キャビネット１の前面木製パネル12と側面木製パネル11を接合具５用いて接合したもので、前面木製パネル12(一方の木製パネル)については、図１２及び図１３に示すように、前面木製パネル12の端部121の長手方向には、嵌合凸部122と該嵌合凸部122から陥没するように平坦凹部123とを設ける。
実施例１の構成と異なるのは、嵌合凸部122の幅が前面木製パネル12の幅より小さく、かつ、嵌合凸部122はキャビネット１の内側に沿って設けられ、外側は平坦凹部123と同じ面を有する接合面124を設けている点、さらに、接合具５の縁の固定枠55に対応して平面パネル部126に固定溝127を設けて、埋め込むようにして側面木製パネル12の平面に突起物が無いようにした点である。  
前面木製パネル12における平坦凹部123のほぼ中央で前面木製パネル12の裏面側の平面パネル部126には、円柱部51とその先端の斜行ネジ刃522が付いた挿入ネジ部52を有する接合具５を設け、そのために、平面パネル部126には接合具５の本体円柱部53に合致した凹部125を設け、接合具５の本体円柱部53の周面の複数の環状刃531が凹部125の内壁に食い込むので、接合具５の縁の固定枠55が平面パネル部126の固定溝127に密接して、凹部125に本体円柱部53を圧入嵌合させるだけで、簡単に定位に固定できるようにしているは実施例１と同じである。
【００１９】
一方、接合相手の側面木製パネル11(他方の木製パネル)には、図１２乃至図１７に示すように、前面木製パネル12の端部121の長手方向の嵌合凸部122が嵌合するための嵌合凹溝部114を設けられ、また、接合具５の円柱部51の先端の斜行ネジ刃522が付いた挿入ネジ部52が嵌合する嵌合孔112が設けられている。ここで、前掲の先行技術のように円柱部51を延長して嵌合孔112に嵌合して位置決めを兼ねてもよいが、先行技術と異なり嵌合凸部122と嵌合凹溝部111とが位置決めの重要な要件となるので、円柱部51を嵌合孔112に嵌合すことはさほど重要な要件ではない。
なお、嵌合凹溝部114の幅は、前面木製パネル12の位置を決める作用を有するように、ガタが無いように前面木製パネル12、すなわち嵌合凸部122の幅と実質的に同じ、或いは、大きくても１mm以下にすることが好ましく、また、嵌合凸部122の長さは前面木製パネル12の端部に沿って長く設けることができるが、両パネルの接合強度が増し位置決めにも役立つので嵌合凸部122の長さも出来る限り長くするほうが好ましいことは、実施例１と同じである。
また、平坦凹部123と接合面124とは、接合具５によって前面木製パネル部12とともに押圧されて、両木製パネル11,12の密着接合位置がそれによって定まるので、平坦凹部123の平坦面も一直線で平坦にすることが重要であり、両木製パネル11,12を接合するには、両木製パネルを矢印Ａ〜Ｃの方向から、嵌合凸部122が細幅の嵌合凹溝部114(矢印Ｂ,Ｃ)に、接合具５の挿入ネジ部52を嵌合孔112(矢印Ａ）にそれぞれ挿入し、接合具５によって対向する接合相手の側面木製パネル11の嵌合孔112の壁面に食い込み、更に奥に進行して、木製パネル相互を締め付けることも実施例１と同じである。なお、接合具５の作用は、実施例１と同じであるので、説明は省略する。
実施例２の木製パネルの接合手段の特徴は、前面木製パネル12の嵌合凸部122と平坦凹部123との端部のラインはキャビネットの裏側に位置することから外部から見えることがなく、外側からは側面木製パネル１１の端部の縁直線ライン11Ｌと前面木製パネル12の接合面124の縁直線ライン12Ｌが見えるだけで、縁直線ライン11Ｌ、12Ｌとは共に直線であり、その接合部分も外側からは綺麗に見えるので、この接合手段は外部に露出し互いに直角に接合する角部の接合に最適である。
しかも、強度は実施例１の接合に比較して多少劣るものの、両パネルの接合強度と位置決め作用が、従来のホゾとホゾ孔の組み合わせに比較して格段に向上する。なお、場合によっては、接合部に接着剤を併用しても良いが、接着剤の量も極めて少量で良い。
【００２０】
[実施例３]
実施例３は、実施例２の木製パネルの端部の構成を変えた点で実施例２とは異なるが、他の構成は同じであり、図１８、図１９を用いて説明する。
実施例３は、図１８及び図１９に示すように、木製キャビネット１での前面木製パネル12と嵌合凸部128の高さを幾分低くし、それに相応して側面木製パネル11の嵌合凹溝部115を浅くし、そのことにより、側面木製パネル11のパネル端部の切込溝117にＴ字型装飾モール116を打ち込んだものである。
Ｔ字型装飾モール116を打ち込むことで、側面木製パネル11と前面木製パネル12との接合部分であるパネル端部が、前面木製パネル12の接合面124の縁直線ライン12Ｌと、Ｔ字型装飾モール116を打ち込んで端部処理した側面木製パネル１１の端部の縁直線ライン11Ｌとが直線で綺麗に密着し、その処理も簡単となり、外部に露出し互いに直角に接合する角部の接合手段に最適である。
しかも、強度は実施例２の接合に比較して多少劣るものの、両パネルの接合強度と位置決め作用が、従来のホゾとホゾ孔の組み合わせに比較して格段に向上する。
【００２１】
以上述べたように、従来工法のベニヤやＭＤＦの木質系材料を活用した強度保証が出来る構造体には、自然木を活用した「隅木」を用い、接着剤を併用して強度と組立を保証しているが、本発明は基本的にはこれらを使用しなくても十分強度を有するが、各本実施例の利点を纏めると次のようなものである。
(1)従来の隅木を利用するとケース内外に凹凸が生じて部品取り付けや運搬等に邪魔になり、部材加工が複雑になるが、結合具５を用いることによって、構造が極めて簡単になる。
(2)結合具５のレバーを回動するだけのワンタッチで、キャビネットの木製パネル相互を締め付けることができ、木製パネル同士を簡単に接合でき、また、木製パネル端部の長手方向には嵌合凸部を設け、他方の木製パネルには前記挿入ネジ部が嵌合する嵌合孔を設けるとともに前記嵌合凸部に対応した嵌合凹溝部を設けて互いを嵌合させたので、両木製パネルの接合箇所をより堅牢で大きな強度が得らる。
(3)木製パネル端部の長手方向には嵌合凸部と平坦凹部とを設け、他方の木製パネルには前記挿入ネジ部が嵌合する嵌合孔を設けるとともに前記嵌合凸部に対応した嵌合凹溝部を設けて互いを嵌合させたので、結合具５の上下方向と前後左右方向に働く締め付け力によって素早く簡単でより正確な位置合わせができる。
(4)従来の隅木を利用した構造物を組立て時、構造部材に予め取り付ける作業が発生し組立工程が複雑になり、従って、作業者の人数が多く必要とし、工場の場所も広いスペースが必要となり労働生産性を悪化させているが、本実施例の結合具を用いれば最終組立工程で、結合具のレバーを回動して組立完了するので、従来の予備準備生産工程が省ける。
【００２２】
(5)接合具５は、樹脂製部位とアルミ鋳物部位等に簡単に分別出来るので資源回収時に非常に便利であり、また、金具の構成材料の再利用が可能である。
(6)従来は隅木と接着剤で製作した製品は一部分の変更が困難で、通常、破棄して全て新しく生産し直しており、時間・費用・材料等の無駄が多く廃却量も増大するが、本実施例では結合具を用いているため、木製パネルの着脱が容易となり、操作パネル等の木製パネルのケースや取り付け部品の設計変更においても、一部分の変更が容易である。
(7)本実施例では、製造費及び部品費低減に繋がる。即ち、製造費は組立等が容易な為に労働生産性の向上や製造作業の合理化が達成出来るので総合的な製造原価の低減に繋がり、部品費についても従来の「隅木」に比べて結合具の金具は、接着剤や特殊ビスが不要であり大幅なコストダウンが期待できる。
(8)パネルが木製であることから型を要せず、部品加工と組み立てが金属製に比べて容易であることから多種少量生産が可能となる。
(9)特に、ゲームキャビネットに適用した場合には、従来のゲーム機キャビネットは接着剤と隅木で組立てているため、ゲーム機キャビネットは簡単には分解が出来ないので完成品にて廃却処分する場合も多く、廃却処分費も膨大になるが、本実施例では、ゲーム機キャビネットの組立が非常に簡単になり、キャビネットを分解する時も簡単に行えるので廃棄処分等に材料を分別し、分解した状態で分別して廃棄処分が簡単となる。
【００２３】
(10)従来のゲーム機キャビネットは組立時強度を得る為に「隅木」と「接着剤」を利用しているので、焼却等の時に接着剤から有害ガスが発生する問題があるが、本実施例の結合具は接着剤は不要であり、材料を容易に分別収集かつ焼却出来るので有毒ガスや有害物質は発生しなく、また、金具の素材の再利用が可能となる。
ただし、本実施例も構造によっては、「隅木」と「接着剤」を使用しても良いが、「隅木」の箇所を少なくすることができ、「接着剤」の量も少なくてよい。
(11)実施例２、３においては、接合箇所を堅牢で大きな強度を維持し、正確な位置を確保しつつ、接合箇所の外観を綺麗に仕上げることが簡単である。
特に、接合時の正確な位置決めは、木製キャビネットにおいては重要であり、隅木を用いる従来工法では、組み立てる前の準備工程で隅木をパネルに取り付ける際に、作業者に熟練した技術がないとズレが生じ、接合部分に隙間やパネルが外側にでてしまったり等、組み立て精度が劣る可能性が高いが、本発明の接合手段では、作業者に技術がなくても簡単に接合具５パネルに打ち込むことができ、その後、両木製パネルを嵌合して組み立て、接合具５のレバー541を倒すだけのだけの作業で、接合部分の精度を高し、堅牢で綺麗な仕上がりにすることができる。すなわち、従来工法で隅木をパネルに取り付際に、０.３〜０.５mm程度の隙間や出張りが発生しやすいが、本発明の実施例では、接合(金)具５、嵌合凸部122,171、嵌合凹溝部111,114,115の加工精度さえ高ければ、単純作業でも接合部で隙間や出張りが生じることはない。
【００２４】
なお、本発明の特徴を損うものでなければ、上記の実施例に限定されるものでないことは勿論である。例えば、本実施例を木質パネルをベニヤ合板としたが、他の木質の木質系ＭＤＦやパーティクルボードや、これらの組み合わせでもよく、操作パネル等の使用箇所によっては、接合具５や嵌合孔112が設けられる厚さであれば、合成樹脂製としてもよい。また、上記実施例では、接着材を使用していないが、強度を増すために、燃焼時に有毒ガス等発生しない接着材を併用してもよい。
【図面の簡単な説明】
【００２５】
【図１】本発明の好適な木製キャビネットの実施例の全体の外観斜視図である。
【図２】図１のＡ箇所の木製ゲーム機用キャビネットの木製パネルの実施例１の接合部分の部分拡大斜視図である。
【図３】図２の接合前の木製パネルの接合部分の部分拡大斜視図である。
【図４】図３の底面木製パネル１７の詳細を示したもので、図４(ａ)はその平面図、図４(ｂ)はその側面図である。
【図５】図３の側面木製パネル１１の詳細を示したもので、図５(ａ)はその平面図、図５(ｂ)はその側面図である。
【図６】図３の底面木製パネル１７に接合具５を設置した平面図である。
【図７】図２の底面木製パネル１７と側面木製パネル１１を接合した状態の側断面図である。
【図８】図３の接合部分に使用する接合具５の単体の斜視図である。
【図９】接合具の作動説明図であり、図９(a)は接合前の接合具のレバーを立てた状態の状態図、図９(b)は嵌合ネジ部を木製パネルの嵌合孔に挿入した状態図、図９(c)はレバー541を倒した接合状態図、図９(d)の(1)はレバーが立った状態で斜行ネジ刃がフリーの状態、図９(d)の(2)はレバーを倒した状態で斜行ネジ刃が食い込んだ状態の状態図である。
【図１０】図９(ｄ)を作動を詳しく説明した説明図である。
【図１１】木製ゲーム機用キャビネットを解体する場合の接合具の状態を示す状態図である。
【図１２】図１のＢ箇所の木製ゲーム機用キャビネットの木製パネルの実施例２の接合部分の部分拡大断面図である。
【図１３】図１２の接合前の木製パネルの接合部分の部分拡大斜視図である。
【図１４】図１３の前面木製パネル１２の詳細を示したもので、図４(ａ)はその平面図、図４(ｂ)はその側面図である。
【図１５】図１３の側面木製パネル１１の詳細を示したもので、図１５(ａ)はその平面図、図１５(ｂ)はその側面図である。
【図１６】図１３の前面木製パネル１２に接合具５を設置した平面図である。
【図１７】図１２の前面木製パネル１２と側面木製パネル１１を接合した状態の側断面図である。
【図１８】図１のＢ箇所の木製ゲーム機用キャビネットの木製パネルの実施例２とは別の実施例３の接合部分の部分拡大断面図である。
【図１９】図１２の実施例３の接合前の木製パネルの接合部分の部分拡大断面図である。
【符号の説明】
【００２６】
１…木製ゲーム機用キャビネット、11…側面木製パネル、
111,114,115…嵌合凹溝部、112…嵌合孔、1121…内径壁、113…平面パネル部、
11L,12L…縁直線ライン、116…Ｔ字型装飾モール、117…切込溝、
12…前面木製パネル、121…端部、122,171…嵌合凸部、
123,173…平坦凹部(接合面)、124…接合面、13…操作パネル、
14…ディスプレーパネル、15…天井木製パネル、16…背面木製パネル、
17…底面木製パネル、171…端部、172…嵌合凸部、173…平坦凹部、
126,174…平面パネル部、125、175…凹部、127…固定溝、
２…操作機器、３…ディスプレー、４…キャスター、
５…結合具、51…円柱部、52…挿入ネジ部、521…偏心回動軸、
522…斜行ネジ刃、53…本体円柱部、531…環状刃、
54…操作部、541…レバー、542…回動軸、55…固定枠
【図１】
2007209587.tif 000003
【図２】
2007209587.tif 000004
【図３】
2007209587.tif 000005
【図４】
2007209587.tif 000006
【図５】
2007209587.tif 000007
【図６】
2007209587.tif 000008
【図７】
2007209587.tif 000009
【図８】
2007209587.tif 000010
【図９】
2007209587.tif 000011
【図１０】
2007209587.tif 000012
【図１１】
2007209587.tif 000013
【図１２】
2007209587.tif 000014
【図１３】
2007209587.tif 000015
【図１４】
2007209587.tif 000016
【図１５】
2007209587.tif 000017
【図１６】
2007209587.tif 000018
【図１７】
2007209587.tif 000019
【図１８】
2007209587.tif 000020
【図１９】
2007209587.tif 000021